(57)【特許請求の範囲】
【請求項１】
ケーシングの商品出し入れ用の開口部に、冷気のエアカーテンを形成して庫内を保冷するオープンショーケースであって、非営業時にエアカーテンの外側を覆うナイトカバーを備えた又は改造によって新規に備えようとするオープンショーケースにおいて、
少なくとも一つの、前記ナイトカバーを引き出す開口部をもつ箱状の収納ユニットに、前記ナイトカバーが収納されると共に、該収納ユニットは、上板と、冷気吹出口部上部に着脱自在に取り付けられる下板と、該下板に溶着又は一体化され、ナイトカバーを取り付けるＺ字状又は逆Ｚ字状のナイトカバー取付レールと、両側の収納ユニットの開口部からその取手部を介して引き出されるフィルム状のナイトカバーよりなり、オープンショーケースの冷気吹出口部上部に取り付けられていることを特徴とするオープンショーケースのナイトカバー。
【発明の詳細な説明】
【０００１】
【発明の属する技術分野】
本発明は、ナイトカバーの付いていない既存のショーケースに、新規にナイトカバーを取り付けるのに好適なオープンショーケースのナイトカバーに関する。
【０００２】
【従来の技術】
従来、平型オープンショーケースでは、非営業時にエアカーテンの外側を覆うナイトカバーを備えたものは、その素材に好適なものがなかったため、少なかった。
しかし、近年、不織布の開発に伴い、ナイトカバーを標準装備したり、従来のショーケースを改造してナイトカバーを取り付けることが多くなってきている。
最近のオープンショーケースのナイトカバー収納方式は、ケースの高さを、低く抑えるために、図９に示すような埋め込み型を採用している。
即ち、図９に示すように、左右仕切壁５０の上部の吹出口５１の天板に、皿状の断熱材５２が螺着され、該断熱材５２の上部に、断熱材５３が設けられている。この断熱材５３に、従来の天板５４が螺着されると共に、該天板５４は、凹形状をなすべく、両側が突出され、両側が吹出しノジング５４ａとなり、裏側が前記断熱材５２に支持部材５５を介して螺着されている。そして、ナイトカバー５６は夫々変形コ字状のナイトカバー取付レール５７によって、開放側の底辺が前記断熱材５３に、上辺が天井板５８に螺着されている。なお、ナイトカバー５６は、取手部５６ａとロールＲに巻回されたフィルム部５６ｂより構成される。また、５９は上板、６０はノジングヒータである。
ナイトカバー５６を交換する時は、天井板５８とナイトカバー取付レール５７を固定しているビスを外し、もう一方のナイトカバー取付レール５７と断熱材５３を固定したビスを外して、ナイトカバー５６を取り外し、交換する。
【０００３】
【発明が解決しようとする課題】
しかしなから、ナイトカバーの付いていない既存のショーケースに、新規にナイトカバーを取り付ける場合は、取付作業として、ノジングヒータの切断、再結線や、ナイトカバー等の部品交換の改造が必要となる。従って、改造作業に手間が掛かり、工事業者等の専門家が改造を行うこととなり、コスト的にも高価とならざるを得なかった。
また、単にナイトカバーが不測の事態で破れるなどして、交換を余儀なくされた場合も、前述したナイトカバーの取り外しの手順のように手間・手数を要していた。
【０００４】
【課題を解決するための手段】
本発明のナイトカバーは、上記の課題を解決するため、ケーシングの商品出し入れ用の開口部に、冷気のエアカーテンを形成して庫内を保冷するオープンショーケースであって、非営業時にエアカーテンの外側を覆うナイトカバーを備えた又は改造によって新規に備えようとするオープンショーケースにおいて、少なくとも一つの、前記ナイトカバーを引き出す開口部をもつ箱状の収納ユニットに、前記ナイトカバーが収納されると共に、該収納ユニットは、上板と、冷気吹出口部上部に着脱自在に取り付けられる下板と、該下板に溶着又は一体化され、ナイトカバーを取り付けるＺ字状又は逆Ｚ字状のナイトカバー取付レールと、両側の収納ユニットの開口部からその取手部を介して引き出されるフィルム状のナイトカバーよりなり、オープンショーケースの冷気吹出口部上部に取り付けられていることを特徴とする。
【０００５】
本発明は、上記の構成を採用して、収納ユニットを冷気吹出口部上部に着脱自在としたので、既存のナイトカバーの付いていないショーケースに取り付ける際に、ヒータの切断、再結線等の改造を行わなくてすみ、下板を冷気吹出口上部の天板に螺着しているビスを締め付けるだけで、簡単に取り付けることができる。
【０００６】
【発明の実施の形態】
以下、本発明の好ましい実施の形態を図面に基づいて詳細に説明する。
図１は本発明が適用される両面平型オープンショーケースの全体斜視図、図２は本発明の収納ユニットの取付状況を示す要部断面側面図、図３は本発明の収納ユニットの分解斜視図、図４はナイトカバーを開けた状態の両面平型ショーケースの断面側面図、図５はナイトカバーを閉じた状態の両面平型ショーケースの断面側面図である。
【０００７】
まず、図１に示すように、両面平型オープンショーケース１は、上部開放の箱形に形成された商品収納部２と、この商品収納部２を適度の高さに保つ台座部３とから構成され、商品収納部２は、その中央に設けた左右仕切壁４により、２つの陳列部２ａ，２ｂに分断されている。
そして、商品の陳列部２ａ，２ｂは、一体発泡パネル構造の外装パネル５で囲まれている。前記外装パネル５と商品陳列部２ａ，２ｂの間には、所定空間を設けて冷気の循環ダクト（図示せず）が形成され、商品収納部２の床下循環ダクト内には冷却器（図示せず）と送風機（図示せず）が配設されている。この冷却器（図示せず）で冷却された空気は、商品収納部２の中央に設けた左右仕切壁４の内部循環ダクトを通って、上部に形成された両サイドの吹出口６から商品収納部２の両サイドに吹き出され、陳列部２ａ，２ｂに収納した食品等を冷却した後、両サイド内側の吸込口７，７から再び循環ダクト（図示せず）内に循環される構造となっている。
【０００８】
図２に示すように、左右仕切壁４の吹出口６の上部には、中板８が設けられ、該中板８の上に、皿状の断熱材９が取り付けられ、更に該断熱材９の上に断熱材１０が設けられている。そして、この断熱材１０の上に天板１１が設けられ、該天板１１は、平坦に形成され、後記するナイトカバー収納ユニット１２を簡単にビスで取り付けできるようになっている。なお、前記天板１１は側方に延び、両側に吹出しノジング１３を形成し、裏側で支持部材１４を介して、前記吹出口６の中板８及び断熱材９に固定されている。
【０００９】
そして、本発明の箱状のナイトカバー収納ユニット１２は、図２及び図３に示すように、次のように構成されている。
即ち、前記収納ユニット１２は、ユニット化した状態で、前記天板１１に下板１５を介して着脱自在に取り付けられる。前記下板１５の上には、略Ｚ字状のナイトカバー取付レール１６がスポット溶接で各々固定され、上辺に上板１７、側部にエンドカバー１８（図３参照）が取り付けられている。Ｚ字状のナイトカバー取付レール１６の中間辺には、ナイトカバー１９が夫々取り付けられる。収納ユニット１２は、ナイトカバー１９を取り出すために、少なくとも一つ以上の開口部１２ａを持っている。
なお、ナイトカバー１９の下側の、取付レール１６の中間辺に固定されるネジは、前記下板１５に貫通されたバカ穴１５ａから夫々挿通される。
また、図３において、２０はナイトカバー１９の取手部，２１はナイトカバー１９のロールＬに巻回されたフィルム部である。
【００１０】
ところで、図４及び図５に示すように、ナイトカバー１９は、営業時には開放されて収納ユニット１２に収納される形で、夜間等の非営業時には、そのフィルム部２１によって閉塞されて、ナイトカバー先端の係止具がガラス上部レール２２に係止される形で、使用される。
【００１１】
このように、ナイトカバー１９の収納ユニット１２を構成すると、収納ユニット１２を左右仕切壁４上部の天板１１にネジ止めするだけで改造・交換ができるので、簡単に取付け、取外しができる。
【００１２】
次に、ナイトカバー収納ユニット３３を片側平型ショーケース３０に適用した一例を、図６乃至図８に基づいて説明する。
図６に示すように、片側平型ショーケース３０の背面の吹出口３１の上方の取付板３２には、ナイトカバー収納ユニット３３が着脱自在にビスによって取り付けられる。該ナイトカバー収納ユニット３３は、上板兼側板３４と、吹出口３１の上部の天板３２に着脱自在に取り付けられる下板（この例では、ナイトカバー取付レール３７の下辺が兼ねる）３５と、ナイトカバー３６を取り付ける逆Ｚ字状のナイトカバー取付レール３７と、収納ユニット３３の開口部３３ａからその取手部３８を介して引き出されるフィルム部３９よりなるナイトカバー３６より構成される。
【００１３】
４０はアクリルエンドカバー、４１はファスナーキャップである。また、ＬＬはナイトカバー３６が巻回されるロールである。
なお、ナイトカバー収納ユニット３３の天板３２へのネジ止めの他方は、側方側より下方に延設された上板兼側板３４の上からネジ止めが行われている。
【００１４】
図７はナイトカバー３６が開いている営業時、図８はナイトカバー３６が閉じられた非営業時の片側ショーケース３０を示し、両面平型ショーケース１と同一構成要素には同一符号を付してある。
【００１５】
このように、ナイトカバー３６の収納ユニット３３を構成しても、収納ユニット３３を吹出口３１上部の天板３２にネジ止めするだけで、改造・交換ができるので、簡単に取付け、取外しができる。
【００１６】
【発明の効果】
以上説明したように、本発明のオープンショーケースのナイトカバーによれば、次のような効果を奏する。
（１）箱状の収納ユニット化により、ヒータの切断、再結線が不必要となり、手間がかからなくなった。
（２）箱状の収納ユニット化により、現場での工事業者による改造が不必要となり、素人の店員でも簡単に取付けができるようになった。
（３）箱状の収納ユニット化により、従来製作されていた吹出しノジングと天板の製作が不要となった。
（４）ナイトカバーを取り出す部分が広いため、ナイトカバーフィルムを簡単に引き出すことができるようになった。
【図面の簡単な説明】
【図１】  本発明が適用される両面平型オープンショーケースの全体斜視図である。
【図２】  本発明の収納ユニットの取付状況を示す要部断面側面図である。
【図３】  本発明の収納ユニットの分解斜視図である。
【図４】  ナイトカバーを開けた状態の両面平型ショーケースの断面側面図である。
【図５】  ナイトカバーを閉じた状態の両面平型ショーケースの断面側面図である。
【図６】  本発明の収納ユニットの取付状況を示すもう一つの要部断面側面図である。
【図７】  ナイトカバーを開いた状態の片側平型ショーケースの断面側面図である。
【図８】  ナイトカバーを閉じた状態の片側平型ショーケースの断面側面図である。
【図９】  従来のナイトカバーの収納状態を示す要部断面側面図である。
【符号の説明】
１      両面平型オープンショーケース
２      商品収納部
２ａ    陳列部
２ｂ    陳列部
３      台座部
４      左右仕切壁
５      外装パネル
６      吹出口
７      吸込口
８      中板
９      断熱材
１０      断熱材
１１      天板
１２      収納ユニット
１２ａ    開口部
１３      吹出しノジング
１４      支持部材
１５      下板
１５ａ    バカ穴
１６      ナイトカバー取付レール
１７      上板
１８      エンドカバー
１９      ナイトカバー
２０      取手部
２１      フィルム部
２２      ガラス上部レール
３０      片側平型ショーケース
３１      吹出口
３２      天板
３３      収納ユニット
３３ａ    開口部
３４      上板兼側板
３５      下板
３６      ナイトカバー
３７      ナイトカバー取付レール
３８      取手部
３９      フィルム部
４０      アクリルエンドカバー
４１      ファスナーキャップ
Ｌ      ロール
ＬＬ      ロール
【図１】
0003841322.tif 000002
【図２】
0003841322.tif 000003
【図３】
0003841322.tif 000004
【図４】
0003841322.tif 000005
【図５】
0003841322.tif 000006
【図６】
0003841322.tif 000007
【図７】
0003841322.tif 000008
【図８】
0003841322.tif 000009
【図９】
0003841322.tif 000010